(57)【要約】      （修正有）【課題】健康な蜜蜂を育てることができるとともに、蜜蜂のメンテナンス性に優れる蜜蜂巣箱を提供する。【解決手段】巣箱１と底板が分離できる構造で、巣箱１は底板を外し継箱としても利用でき、底板は加熱殺菌できる素材であって、巣箱１中央部分に巣門３と巣門３の広さを調整するための板５ｂと巣門３に滑走路１３を設けたことを特徴とする。【選択図】図１
0003190243.tif 000002
【実用新案登録請求の範囲】
【請求項１】
巣箱１の中央部分に巣門３を設置し、巣門３下に輸送用換気窓４，４ｂを設け、巣門３の左右の横に巣門の広さを調整する板５、５ｂを設けていることを特徴とする蜜蜂巣箱。
【請求項２】
巣箱１の中央部分に巣門３を設置し、巣門３下に輸送用換気窓４，４ｂを設け、巣門３の左右の横に巣門の広さを調整する板５、５ｂを設け、巣箱１と底板２を分離できることを特徴とする蜜蜂巣箱。
【請求項３】
前記底板２は、加熱殺菌処理できる素材で真っ直ぐな板と下駄１０、１０ｂから構成されている請求項目１の蜜蜂巣箱。
【請求項４】
巣箱１と底板を分離できるように巣箱１と底板２の下駄１０、１０ｂに着脱できるピン９、９ｂを差し込むための穴１６、１６ｂを設置し、巣箱１の中央部分に巣門３を設置し、巣門３下に輸送用換気窓４、４ｂを設け、巣門３の左右の横に巣門の広さを調整する板５、５ｂを設け、輸送用換気窓４、４ｂを塞ぐ板６、６ｂを固定するための板７、７ｂ、７ｃ、７ｄと一緒に取り付け、巣箱１を継箱としてもつかえるように巣箱の下縁に、スカートを履かせたように４面に板８、８ｂを取り付け、巣門３と同じ幅の板１１に金具１２を取り付け滑走路１３をつくり巣門３に取り付けることを特徴とする蜜蜂巣箱。
【考案の詳細な説明】
【技術分野】
【０００１】  本考案は、巣門の広さを調整できる機構と巣門を巣箱中央に設置し、巣箱の底板を取り外しできるように工夫した蜜蜂巣箱に関するものである。
【背景技術】
【０００２】  近年蜜蜂を取り巻く環境は、蜜源植物の減少、病気の蔓延、ダニの寄生拡大などで厳しくなっており健康な蜜蜂を育てるのが難しくなっている。そのため、健康な蜜蜂を育てるために様々な工夫がされている。【０００３】  病気になりにくい健康な蜜蜂を育てるためには、蜜蜂の餌として砂糖水や代用花粉を与える必要がある。餌が不足すると免疫力が低下し病気になりやすくなるからだ。砂糖水や代用花粉は巣箱の中に与えることが一般的である。代用花粉は巣脾枠の上に与えるため、食べ残した代用花粉は巣箱の底にたまり巣箱の中が不衛生になりやすいという問題が起きている。このような問題に対して、これまでも様々な提案がされている（例えば、特許文献１、登録実用新案文献１）。【０００４】  外気温が低くなる冬場などは巣門を狭くして巣箱の中に冷気が入り込み蜜蜂にダメージを与えないようにする必要がある。従来の巣箱は巣門の広さを調整する機能を有していないため（例えば、非特許文献１）、巣門を狭くするためにはダンボール、ガムテープなどが必要となり準備や設置作業に時間と手間がかかる。また春になると巣門を開放するため巣門を狭くしていた物は取り外す必要があり、ここでも時間と手間が必要となり、さらに取り外した物が再利用できない場合はゴミが発生するという問題が毎年起きている。【０００５】  蜜蜂の病気の原因となる様々な菌は土の中に多く含まれている。そのため病気を防ぐために養蜂器具を土につけないなどの工夫が必要である。また、蜜蜂が土に触れることを防ぐために巣門の前に１０センチ程度の距離を設ける必要があるが、従来、巣門の前には数センチ程度の距離しかなく蜜蜂が地面に触れやすいという問題が起きている（例えば、非特許文献１）。【０００６】  従来の巣箱の巣門は巣箱の下側に設置されている。例えば、非特許文献１。巣門が下側にあると地面から近くなり、巣門にいる門番の働き蜂は外敵に食べられる危険性が高くなる。例えば、ガマ蛙が１晩で２００匹前後の働き蜂を食べていたという報告がある。１日に２００匹とは甚大な被害である。このように、巣門が地面に近いほど外敵の捕食を受けやすくなる。さらに、巣門が下側に設置されていると蜜蜂の巣箱の中を歩く距離が増え蜜蜂が疲弊しやすいという問題も起きている。
【先行技術文献】
【特許文献】
【０００７】
【特許文献１】特許公開２０１１−９２１６８
【登録実用新案文献１】
登録実用新案第３１４７９２４号  図５
【非特許文献１】
【０００８】
【非特許文献１】「間室養蜂場報  平成２５年版カタログ」  間室養蜂場  平成２５年  １１ページ
【考案の概要】
【考案が解決しようとする課題】
【０００９】  特許文献１によれば、二重構造の底板を取り外すことができる機能を有し、底板の二重構造は空気層を作り、冬期間は厳冬の寒さ、夏期間は猛暑による暑さから蜜蜂を守り、蜜蜂の力の範囲で巣箱内の気温をコントロールできる巣箱が開示されている。【００１０】  また、登録実用新案文献１によれば、巣箱の底板を外すことができる機能を有する巣箱か開示されている。【００１１】  しかしながら、特許文献１では、底板にプラスチックを使用しているため巣箱の底の清掃作業を行うとき、ガスバーナーやトーチランプなどによる加熱殺菌処理が行えないという問題があった。【００１２】  登録実用新案文献１によれば、底板に巣門などが固定されているためそれらが障害となり掃除が効率よく行なえない問題があった。また、巣門が底板に固定さているので底板には巣箱に出入りする働き蜂が多くいるため効率的に作業を行えないという問題もあった。【００１３】  また、継箱として利用するときズレを防ぐため、前面と後面の板が少し上に出るように貼り付けらており、巣箱の蓋の前面と後面が内側に少し入り込んだ構造になっている。従来の巣箱の蓋は前面、後面とも側面とそろった構造のためは従来の巣箱の蓋がはまらないという問題もあった。【００１４】  非特許文献１によれば、巣門が巣箱の下側に設けられ、また巣門の前の距離が数ｃｍしかないという問題があった。さらに、巣門の広さを調整する機能も備わっていないという問題もあった。【００１５】  そこで本考案は、上記従来の問題に鑑みてなされたものであり、巣門を巣箱中央部分に設置し、巣門には蜜蜂が土に触れにくくするため滑走路を設け、巣箱の底の清掃を巣箱の中身を取り出さないで行うことができるように巣箱と底板が分離できるようにした健康な蜜蜂を育てるとともに、蜜蜂のメンテナンスの作業性に優れる蜜蜂巣箱を提供することを目的としている。
【課題を解決するための手段】
【００１６】  巣箱１と底板２を分離できるように巣箱１と底板２の下駄１０、１０ｂに着脱できるピン９、９ｂを差し込むための穴１６、１６ｂを設置し、巣箱１正面の中央部分に巣門３を設置し、巣門３下に輸送用換気窓４、４ｂを設け、巣門３の左右の横に巣門の広さを調整する板５、５ｂを設け、輸送用換気窓４、４ｂを塞ぐ板６、６ｂを固定するための板７、７ｂと一緒に取り付ける。底板２は板一枚で湿気から巣箱を守るための下駄１０、１０ｂを前後に設置する。巣箱１の底板２を外し継箱としてもつかえるように巣箱１の下縁に、スカートを履かせたように四面に板８、８ｂを取り付ける。巣門３と同じ幅の板１１に、金具１２  を取り付け滑走路１３をつくり巣門３に取り付ける。
本考案は、以上の構成よりなる蜜蜂巣箱である。
【考案の効果】
【００１７】  以上の説明から明らかなように、本考案にあっては次に列挙する効果が得られる。
本考案によって、巣箱の底の清掃を巣箱の中身を取り出すことなくできる。また、巣箱の底板は木材一枚と下駄とで構成されているのでゴミの撤去が容易に行えるうえに、殺菌のための加熱処理を行なうことができるので巣箱の中を衛生的に保つことができる。また、蜜蜂のメンテナンス作業を素早く行うことができ蜜蜂に与えるストレスを最小限に抑えることができる。【００１８】  巣門の広さの調整をガムテープやダンボールなどを用いることなくできるため、ガムテープやダンボールを用意する手間も省け、さらにゴミが出ることもない。【００１９】  巣門が巣箱中央部分に設置してあるので地面から巣門までの距離が長くなるため地面にいる外的に捕食されにくくすることができる。さらに、蜜蜂が巣箱の中を歩く距離を短くすることができ蜜蜂が疲弊するのを防ぐことができる。【００２０】  また、巣門に滑走路を取り付けることで蜜蜂が地面に触れにくくなり、地面に含まれる病原菌が巣箱に持ち込まれにくくなり健康な蜜蜂を育てやすくなる。【００２１】  巣箱下縁にスカートを履かせたように４面に板を取り付けてあるので底板を外し、継箱として使用することもできる。
【図面の簡単な説明】
【００２２】
【図１】本発明の実施形態に係る蜜蜂巣箱の斜視図である。
【図２】本発明の実地形態に係る蜜蜂巣箱を継箱として利用した場合の斜視図である。
【図３】本発明の実施形態に係る蜜蜂巣箱の滑走路を外した斜視図である。
【図４】本発明の実施形態に係る蜜蜂巣箱の滑走路を外し継箱として利用した場合の斜視図である。
【図５】本発明の実施形態に係る蜜蜂巣箱の分解斜視図である。
【図６】本発明の実施形態に係る蜜蜂巣箱の巣門の様子を分かりやすく示した分解図である。
【図７】本発明の実施形態に係る蜜蜂巣箱の正面図である。
【図８】本発明の実施形態に係る蜜蜂巣箱の巣門の広さを狭くした様子を説明する正面図である。
【図９】本発明の実施形態に係る蜜蜂巣箱の輸送時の様子を示した正面図である。
【図１０】本発明の実施形態に係る蜜蜂巣箱の背面図である。
【図１１】本発明の実施形態に係る蜜蜂巣箱の輸送時の様子を示した背面図である。
【図１２】本発明の実施形態に係る蜜蜂巣箱の側面図である。
【図１３】本発明の実施形態に係る蜜蜂巣箱の滑走路を取り外した時の断面図である。
【図１４】本発明の実施形態に係る蜜蜂巣箱の断面図である。
【図１５】本発明の実施形態に係る蜜蜂巣箱の底板の斜視図である。
【図１６】本発明の実施形態に係る蜜蜂巣箱の滑走路の斜視図である。
【図１７】本発明の実施形態に係る蜜蜂巣箱の滑走路の断面図である。
【図１８】本発明の実地形態に係る蜜蜂巣箱の巣門の幅を調整する板の可動の様子を示した図である。
【考案を実施するための形態】
【００２３】  以下、本考案を実地するための形状について説明する。
巣箱１と底板を分離できるように巣箱１と底板２の下駄１０、１０ｂに着脱できるピン９、９ｂを差し込むための穴１６、１６ｂを設置し、巣箱１の中央部分に巣門３を設置し、巣門３下に輸送用換気窓４、４ｂを設け、巣門３の左右の横に巣門の広さを調整する棒５、５ｂを設け、輸送用換気窓４、４ｂを塞ぐ板６、６ｂを固定するための板７、７ｂ、７ｃ、７ｄと一緒に取り付ける。底板２は真っ直ぐの板１枚に巣箱を湿気から守るための下駄１０、１０ｂを設置する。巣箱１の底板２を外し継箱としてもつかえるように巣箱の下縁に、スカートを履かせたように４面に板８、８ｂを取り付ける。巣門３と同じ幅の板１１に、金具１２を取り付け滑走路１３をつくり巣門３に取り付ける。
本発明は、以上のような構造である。
【００２４】  以下、本考案の蜜蜂巣箱を具体化した実施形態を説明する。
巣箱１の底の清掃を行なうときは、図５が示すように底板２と巣箱１を固定しているピン９、９ｂを抜き、巣箱１を持ち上げると巣箱１と底板２が分離するので、巣箱１を横にどけるなどすると底板２が掃除できる。底板２の掃除が完了したらガスバーなどで加熱殺菌を行えばよい。
【００２５】  巣門３の幅を狭くしたいときは、図１８が示すように巣門の広さを調整する板５、５ｂを横向きに倒せばよい。
【００２６】  巣箱１を継箱として使用するときは、図５が示すように底板２と巣箱１を固定しているピン９、９ｂを抜き、巣箱１を持ち上げると巣箱１と底板２が分離するので、図２が示すように巣箱１を継箱として利用すればよい。
【００２７】  巣箱の輸送時や冬の間など滑走路１３が不要になったときは、滑走路１３を持ち上げ、金具１２を巣門３から取り外せばよい。図３が示すように滑走路１３を巣箱１から取り外すことができる。
【００２８】  巣箱を輸送する場合は、図９が示すように巣箱１の正面の輸送換気窓４を解放するため、輸送用換気窓４を防ぐための板６を上に動かし釘などで固定すればいい。巣門３は輸送用換気窓６で塞がるので蜜蜂が輸送中に巣箱１の外にでることはない。また、図１１が示すように巣箱１の背面の輸送用換気窓４ｂを開放するためには、輸送用換気窓４ｂを防ぐための板６ｂを下ろせばよい。
【００２９】  もちろん、この巣箱を正方形にして日本蜜蜂用巣箱として用いても問題はない。
【符号の説明】
【００３０】  １  巣箱
２  底板
３  巣門
４、４ｂ  輸送用換気窓
５、５ｂ  巣門の広さを調整する板
６、６ｂ  輸送用換気窓を防ぐ板
７、７ｂ、７ｃ、７ｄ  輸送用換気窓を防ぐ板を固定するための板
８、８ｂ、８ｃ  板
９、９ｂ  ピン
１０、１０ｂ  下駄
１１  巣門と同じ幅の板
１２  金具
１３  滑走路
１４、１４ｂ  巣門の広さを調整する棒の横にとつける板
１５  従来の巣箱
１６、１６ｂ  ピンを差し込むための穴
Ｆ、Ｆ１  巣門の広さを調整する板が動く方向
【図１】
0003190243.tif 000003
【図２】
0003190243.tif 000004
【図３】
0003190243.tif 000005
【図４】
0003190243.tif 000006
【図５】
0003190243.tif 000007
【図６】
0003190243.tif 000008
【図７】
0003190243.tif 000009
【図８】
0003190243.tif 000010
【図９】
0003190243.tif 000011
【図１０】
0003190243.tif 000012
【図１１】
0003190243.tif 000013
【図１２】
0003190243.tif 000014
【図１３】
0003190243.tif 000015
【図１４】
0003190243.tif 000016
【図１５】
0003190243.tif 000017
【図１６】
0003190243.tif 000018
【図１７】
0003190243.tif 000019
【図１８】
0003190243.tif 000020